【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
言語障害のユーザーが、ステートメントと、質問と、要求とのうちの少なくとも１つを構成することを可能にして、該ステートメントと、質問と、要求とのうちの該少なくとも１つを別の人物に通信することを可能にする、補助通信デバイスであって、該補助通信デバイスは、
該ユーザーからの入力を受け入れる入力デバイスと、
該ユーザーと該別の人物とで通信する複数の出力デバイスであって、該複数の出力デバイスは、聴覚の出力を作成するためにディスプレイとトランスデューサとを少なくとも備える、複数の出力デバイスと、
ステートメントと、質問と、要求とのうちの該少なくとも１つを組み立てるための該複数の出力デバイスのうちの少なくとも１つを介して、該入力で動作して、該ユーザーと相互作用するプロセッサであって、該プロセッサは、該ユーザーが、（ａ）該補助通信デバイスの使用を熟知しているとき、（ｂ）標準的なコンピュータ入力デバイスの全機能を見ることができるとき、および、（ｃ）標準的なコンピュータ入力デバイスの全機能を用いることができるときの全てで、第１のモードで動作し、該ユーザーが、（ａ）該補助通信デバイスの使用に不慣れであることと、（ｂ）（ｉ）視覚障害か、（ｉｉ）標準的なコンピュータ入力デバイスの全機能を用いることができないかの、少なくとも１つであることとの両方であるときに、該第１のモードとは異なる他の少なくとも１つのモードで動作し、（ａ）該補助通信デバイスの使用に不慣れであることと、（ｂ）（ｉ）視覚障害か、（ｉｉ）標準的なコンピュータ入力デバイスの全機能を用いることができないかの、少なくとも１つであることとの両方である該ユーザーに、該別の人物と通信するために該補助通信デバイスを用いることを可能にする、プロセッサと
を備える、補助通信デバイス。
【請求項２】
前記複数の出力デバイスは、前記ディスプレイを備え、前記トランスデューサは、スピーチ生成ユニットと、スピーカとヘッドフォンとのうちの１つを備え、
前記入力デバイスは、該ディスプレイ上に表示されるアイテムを選択することと、前記プロセッサにアクションを行うように指令することとによって、前記ユーザーが、前記補助通信デバイスと相互作用することを可能にして、
前記第１のモードにおいて、該選択することと該指令することとに応答して、該プロセッサが、該スピーチ生成ユニットを介して該ディスプレイに警告することと、朗読メッセージを発することとの片方または両方を行い、
前記他の少なくとも１つのモードにおいて、該ユーザーによるアクションの上で、該プロセッサが、
（１）該ディスプレイ上で、該ユーザーによって未だ取られていない可能性のあるアクションのうちの少なくとも１つをハイライトすることと、
（２）該スピーチ生成ユニットに、該ユーザーによって該未だ取られていないアクションの結果を告知させることと、
（３）該スピーチ生成ユニットに、該ユーザーによってそれまでに組み立てられたメッセージをプレビューさせることと
のうちの１つを行う、請求項１に記載の補助通信デバイス。
【請求項３】
（ａ）補助通信デバイスの使用に不慣れであることと、（ｂ）（ｉ）視覚障害か、（ｉｉ）標準的なコンピュータ入力デバイスの全機能を用いることができないかの、少なくとも１つであることとの両方である前記ユーザーが、標準的なコンピュータ入力デバイスの全機能を用いることができないときに、前記少なくとも１つの他のモードは、自己命令モードであり、該自己命令モードにおいて、前記ハイライトすることと、前記告知することと、前記プレビューすることとのうちの１つが、第１の順序でアイテムの第１セットを含んでおり、
（ａ）補助通信デバイスの使用に不慣れであることと、（ｂ）（ｉ）視覚障害か、（ｉｉ）標準的なコンピュータ入力デバイスの全機能を用いることができないかの、少なくとも１つであることとの両方である該ユーザーは、視覚障害であり、該少なくとも１つの他のモードは、ブラインドユーザーモードであり、該ブラインドユーザーモードにおいて、該ハイライトすることと、該告知することと、該プレビューすることとのうちの１つが、第２の順序でアイテムの第２セットを含む、請求項２に記載の補助通信デバイス。
【請求項４】
前記アイテムの第２セットは、前記アイテムの第１セットとは異なる、請求項３に記載の補助通信デバイス。
【請求項５】
前記第２の順序は、前記第１の順序とは異なる、請求項３に記載の補助通信デバイス。
【請求項６】
前記ハイライトすることは、ユーザーアクションの記録に左右される順序で起こる、請求項２に記載の補助通信デバイス。
【請求項７】
前記ハイライトすることは、コンテクストに左右される順序で起こる、請求項２に記載の補助通信デバイス。
【請求項８】
前記ハイライトすることは、ユーザー設定に左右される順序で起こる、請求項２に記載の補助通信デバイス。
【請求項９】
前記他の少なくとも１つのモードは、（ａ）補助通信デバイスの使用に不慣れであることと、（ｂ）（ｉ）視覚障害か、（ｉｉ）標準的なコンピュータ入力デバイスの全機能を用いることができないかの、少なくとも１つであることとの両方である前記ユーザーが、質問表に答えることに可能となる質問表モードである、請求項２に記載の補助通信デバイス。
【請求項１０】
前記質問表モードは、病歴モードであり、
前記質問表は、前記ユーザーの病歴を確かめるために尋ねられる質問を含む、請求項９に記載の補助通信デバイス。
【請求項１１】
遠隔通信接続をさらに含む、請求項１に記載の補助通信デバイス。
【請求項１２】
前記遠隔通信接続は、電話インターフェースであり、
前記プロセッサは、該電話インターフェースを介して前記組み立てられたステートメント、質問、または要求を朗読し、
前記ユーザーは、電話呼び出しを行い得、前記補助通信デバイスを用いて、該電話呼び出しの間に会話をし得る、請求項１１に記載の補助通信デバイス。
【請求項１３】
前記遠隔通信接続は、データネットワークインターフェースであり、
前記プロセッサは、前記組み立てられたステートメント、質問、または要求を、該データネットワークインターフェースに書き込み、
前記ユーザーは、前記補助通信デバイスを用いて電子メールを送り得る、請求項１１に記載の補助通信デバイス。
【請求項１４】
前記遠隔通信接続は、介護者用メッセージデバイスに接続する、請求項１１に記載の補助通信デバイス。
【請求項１５】
前記介護者用メッセージデバイスは、前記複数の補助通信デバイスのうちの任意の１つとの通信の状態を表示する介護者用ディスプレイを備え、
該介護者用ディスプレイは、該補助通信デバイスのうちのそれぞれ１つから、いつメッセージが届いたか、ならびに、（１）介護者に該メッセージが知らされたかどうかと、（２）該介護者は該告知を承認したかどうかと、（３）該介護者は該メッセージに応答したかどうかとのうちの少なくとも１つを示す、複数の状態インジケータを有する、請求項１４に記載の補助通信デバイス。
【請求項１６】
前記状態インジケータは、さらに前記メッセージの緊急性の度合いを示す、請求項１５に記載の補助通信デバイス。
【請求項１７】
前記介護者用メッセージデバイスは、複数のユーザーによって用いられる複数の補助通信デバイスに接続される介護者用ステーションコンソールである、請求項１５に記載の補助通信デバイス。
【請求項１８】
前記介護者用ディスプレイは、前記複数の補助通信デバイスに対応する複数の介護者用ディスプレイを含み、
該複数の介護者用ディスプレイのそれぞれは、該補助通信デバイスのうちのそれぞれ１つから、いつメッセージが届いたか、ならびに、（１）介護者に該メッセージが知らされたかどうかと、（２）該介護者は該告知を承認したかどうかと、（３）該介護者は該メッセージに応答したかどうかとのうちの１つを示す、複数の状態インジケータを有する、請求項１７に記載の補助通信デバイス。
【請求項１９】
前記複数の介護者用ディスプレイは、ボーダーを含み、
前記複数の状態インジケータは、該ボーダーの複数のコンディションを含む、請求項１８に記載の補助通信デバイス。
【請求項２０】
前記複数のコンディションは、陰影と、色と、点滅とのうちの少なくとも１つを含む、請求項１９に記載の補助通信デバイス。
【請求項２１】
前記介護者用メッセージデバイスは、複数のユーザーによって用いられる、複数の補助通信デバイスと、ワイアレスで接続されるポータブルデバイスである、請求項１５に記載の補助通信デバイス。
【請求項２２】
前記介護者用ディスプレイは、前記複数の補助通信デバイスに対応する複数の介護者用ディスプレイを含む、請求項２１に記載の補助通信デバイス。
【請求項２３】
前記介護者用ディスプレイは、ボーダーを含み、
前記複数の状態インジケータは、該ボーダーの複数のコンディションを含む、請求項２１に記載の補助通信デバイス。
【請求項２４】
前記複数のコンディションは、陰影と、色と、点滅とのうちの少なくとも１つを含む、請求項２３に記載の補助通信デバイス。
【請求項２５】
前記ポータブルデバイスは、ページャを含む、請求項２１に記載の補助通信デバイス。
【請求項２６】
複数の患者用通信モジュールであって、該複数の患者用通信モジュールにより、それぞれの患者は、介護者と通信し得る、複数の患者用通信モジュールと、
該複数の患者用通信モジュールに対応する複数の介護者用ディスプレイを含む介護者用メッセージデバイスであって、該介護者用メッセージデバイスは、該複数の患者用通信モジュールの各々との通信の状態を表示する、介護者用メッセージデバイスと
を備える、患者−介護者間通信システムであって、
該複数の介護者用ディスプレイの各々は、該患者用通信モジュールのうちのそれぞれ１つから、いつメッセージが届いたか、ならびに、（１）介護者に該メッセージが知らされたかどうかと、（２）該介護者は該告知を承認したかどうかと、（３）該介護者は該メッセージに応答したかどうかとのうちの少なくとも１つを示す、複数の状態インジケータを有する、患者−介護者間通信システム。
【請求項２７】
前記状態インジケータは、前記メッセージの緊急性の度合いをさらに示す、請求項２６に記載の患者−介護者間通信システム。
【請求項２８】
前記介護者用メッセージデバイスは、介護者用ステーションコンソールを備える、請求項２６に記載の患者−介護者間通信システム。
【請求項２９】
前記複数の介護者用ディスプレイのそれぞれは、ボーダーを含み、
前記複数の状態インジケータは、該ボーダーの複数のコンディションを含む、請求項２６に記載の患者−介護者間通信システム。
【請求項３０】
前記複数のコンディションは、陰影と、色と、点滅とのうちの少なくとも１つを含む、請求項２９に記載の患者−介護者間通信システム。
【請求項３１】
前記介護者用メッセージデバイスは、複数の患者用通信モジュールとワイアレスで接続されるポータブルデバイスである、請求項２６に記載の患者−介護者間通信システム。
【請求項３２】
前記介護者用ディスプレイのそれぞれは、ボーダーを含み、
前記複数の状態インジケータは、該ボーダーの複数のコンディションを含む、請求項３１に記載の患者−介護者間通信システム。
【請求項３３】
前記複数のコンディションは、陰影と、色と、点滅とのうちの少なくとも１つを含む、請求項３２に記載の患者−介護者間通信システム。
【請求項３４】
前記ポータブルデバイスは、ページャを含む、請求項３１に記載の患者−介護者間通信システム。
【請求項３５】
前記患者用通信モジュールのうちの少なくとも１つは、補助通信デバイスであり、該補助通信デバイスは、話すことのできない患者が少なくとも１つの言葉を含むメッセージを入力することを可能にする、請求項２６に記載の患者−介護者用通信システム。
【請求項３６】
複数の患者用通信モジュールのうちの各々との通信の状態を表示する複数の介護者用ディスプレイを含む、介護者用メッセージデバイスであって、
該複数の介護者用ディスプレイの各々は、該患者用通信モジュールのうちのそれぞれ１つから、いつメッセージが届いたか、ならびに、（１）介護者に該メッセージが知らされたかどうかと、（２）該介護者は該告知を承認したかどうかと、（３）該介護者は該メッセージに応答したかどうかとのうちの少なくとも１つを示す、複数の状態インジケータを有する、介護者用メッセージデバイス。
【請求項３７】
前記状態インジケータは、前記メッセージの緊急性の度合いをさらに示す、請求項３６に記載の介護者用メッセージデバイス。
【請求項３８】
介護者用ステーションコンソールを含む、請求項３６に記載の介護者用メッセージデバイス。
【請求項３９】
前記複数の介護者用ディスプレイのそれぞれは、ボーダーを含み、
前記複数の状態インジケータは、該ボーダーの複数のコンディションを含む、請求項３６に記載の介護者用メッセージデバイス。
【請求項４０】
前記複数のコンディションは、陰影と、色と、点滅とのうちの少なくとも１つを含む、請求項３９に記載の介護者用メッセージデバイス。
【請求項４１】
複数の患者用通信モジュールとワイアレスで接続されるポータブルデバイスを含む、請求項３６に記載の介護者用メッセージデバイス。
【請求項４２】
前記介護者用ディスプレイのそれぞれは、ボーダーを含み、
前記複数の状態インジケータは、該ボーダーの複数のコンディションを含む、請求項４１に記載の介護者用メッセージデバイス。
【請求項４３】
前記複数のコンディションは、陰影と、色と、点滅とのうちの少なくとも１つを含む、請求項４２に記載の介護者用メッセージデバイス。
【請求項４４】
前記ポータブルデバイスは、ページャを含む、請求項４１に記載の介護者用メッセージデバイス。
【請求項４５】
言語障害のユーザーが、ステートメントと、質問と、要求とのうちの少なくとも１つを組み立てることを可能にして、該ステートメントと、質問と、要求とのうちの該少なくとも１つを別の人物に通信することを可能にする、補助通信デバイスであって、該補助通信デバイスは、
該ユーザーからの入力を受け入れる入力デバイスと、
該ユーザーと該別の人物とで通信する少なくとも１つの出力デバイスであって、該少なくとも１つの出力デバイスは、聴覚の出力を作成するためにディスプレイとトランスデューサとを少なくとも備える、複数の出力デバイスと、
ステートメントと、質問と、要求とのうちの該少なくとも１つを組み立てるための該少なくとも１つの出力デバイスを介して、該入力で動作して、該ユーザーと相互作用するプロセッサであって、
該ユーザーが、（ａ）補助通信デバイスの使用に不慣れであることと、（ｂ）（ｉ）視覚障害か、（ｉｉ）標準的なコンピュータ入力デバイスの全機能を用いることができないかの、少なくとも１つであることとの両方であるときに、該プロセッサは、該第１のモードとは異なる他の少なくとも１つのモードで動作し、（ａ）該補助通信デバイスの使用に不慣れであることと、（ｂ）（ｉ）視覚障害か、（ｉｉ）標準的なコンピュータ入力デバイスの全機能を用いることができないかの、少なくとも１つであることとの両方である該ユーザーに、該別の人物と通信するために該補助通信デバイスを用いることを可能にする、プロセッサと
を備える、補助通信デバイス。